(57)【特許請求の範囲】
【請求項１】
靴製造工程の際に使用するためのストックフィット組立体取付け具であって、
基部部材；
上部部材；及び
靴の一部分を前記基部部材に保持し、該靴のラストを前記上部部材に保持し、該靴の種々の部分が組み付けられ、該靴の一部分は該基部部材に対して固定されたままであり、そして該靴のラストは該上部部材に対して固定されたままであり、それによって靴毎の組み付けの変動を低減するための保持機構
を備え、
前記上部部材を前記基部部材の方に移動させて、該上部部材に固定された第１靴部を、該基部部材に固定された第２靴部に接触させる圧縮機構をさらに備え、
前記第２靴部はアウトソールであり、当該アウトソールは前記基部部材の開口部内に設置され、該開口部は、該アウトソールが該基部部材に設置される際に、所定の位置に固定されるように、該アウトソールとほぼ同じ形状である、取付け具。
【請求項２】
前記ラストは、前記上部部材及び該ラストの少なくとも一つの部分を貫通して突出する、一つ以上のピンによって該上部部材に保持される、請求項１に記載のストックフィット組立体取付け具。
【請求項３】
前記基部部材は、相互に固定された基板及び底板より構成される、請求項１に記載のストックフィット組立体取付け具。
【請求項４】
前記上部部材は、相互に固定された案内板及び上板より構成される、請求項１に記載のストックフィット組立体取付け具。
【請求項５】
前記圧縮機構は、前記基部部材に対する垂直軸に沿って前記上部部材を移動させるようにする、一つ以上のばねを備える、請求項１に記載のストックフィット組立体取付け具。
【請求項６】
前記基部部材の前記開口部は、該開口部のサイズを調整する一つ以上の調整可能な機構を有し、これによって、前記靴のサイズや前記靴の種類の変化を可能にする、請求項１に記載のストックフィット組立体取付け具。
【請求項７】
前記一つ以上の調整可能な機構は、前記開口部の幅と長さを、前記靴のサイズ及び前記靴の種類に応じて変化させることができるように、前記開口部に滑って出入りするように移動することができる、請求項６に記載のストックフィット組立体取付け具。
【請求項８】
靴製造工程の際に使用するためのストックフィット組立体取付け具であって、
基部部材；
上部部材；及び
前記上部部材を前記基部部材の方に移動させて、該上部部材に固定された第１靴部を、該上部部材が該基部部材の方に実質的に移動した場合に前記基部部材に固定された第２靴部と接触させる、圧縮機構を備え、
前記基部部材は基板と底板を少なくとも有し、該底板は、開口部であって、該開口部を貫通して前記第２靴部が設置される開口部を有する、取付け具。
【請求項９】
前記第１靴部は、前記ラストに固定された靴のアッパー部であり、前記第２靴部は前記靴のアウトソール部である、請求項８に記載のストックフィット組立体取付け具。
【請求項１０】
前記圧縮機構は、一つ以上のガイドピンより構成され、該一つ以上のガイドピンの各々は、前記上部部材が前記基部部材の方に向かって移動できるようにする付属ばねを有する、請求項８に記載のストックフィット組立体取付け具。
【請求項１１】
前記第１靴部を前記上部部材に保持するための保持機構をさらに備える、請求項８に記載のストックフィット組立体取付け具。
【請求項１２】
前記保持機構は、前記上部部材を前記ラストの所定の位置に固定し、周囲に前記第１靴部が設置される、一つ以上のピンを有する、請求項１１に記載のストックフィット組立体取付け具。
【請求項１３】
一つ以上の調整可能な機構は、前記底板の前記開口部のサイズの変動を可能にし、該サイズの変動には、靴の長さ又は幅の内の一つ以上が含まれる、請求項８に記載のストックフィット組立体取付け具。
【請求項１４】
靴の製造環境において、靴の種々の部分を接触させる方法を実行するために使用される、請求項１乃至１３のいずれか一項に記載のストックフィット組立体取付け具を使用する方法であって、該方法は、
第１靴部を基部部材に形成された開口部に固定するステップ；
上部部材に固定されたラストに、第２靴部を固定するステップ；及び
前記上部部材を前記基部部材の方に動かし、前記第１及び第２靴部が接触するようにするステップ
を含む、ストックフィット組立体取付け具を使用する方法。
【発明の詳細な説明】
【技術分野】
【０００１】
（関連出願への相互参照）
本願は、２００８年９月２６日に出願された、「靴製造用のストックフィット組立体取付け具」と題される、米国仮出願第６１／１９４３５２に基づく優先権を主張するものである。
【０００２】
当業者であれば、アウトソール（本底）、ミッドソール（中底）、アッパー部などを含む靴の部分が、靴の種々の部分の位置合わせを補助する装置を使用せずに、典型的には手作業で組み付けられることがわかるであろう。
【背景技術】
【０００３】
例えば、靴のアッパー部は、典型的には、ラスト（靴型）に取り付けられ、合成接着剤やその他の形態の接着剤を塗布した後に、アウトソールとミッドソールに手作業で取り付けることができる。
【発明の概要】
【発明が解決しようとする課題】
【０００４】
どんな靴の部分の余分な部分も、その後組み付ける靴から切り離したり剥ぎ取ったりされ、靴のバリエーションに加えて、時間と作業員の相互作用が必要以上に必要となる。靴のいくつかの部分の手作業での組み付けにより、本来あるべきはずの位置に合わない部分など、靴毎に予期せぬ不一致が生じ、このため、一つの機械又は工程から次の機械又は工程への靴製造の工程全体にドミノ効果が生じる。靴の諸部分の手作業による組み付けに加えて、加圧ブロックを使用することができるが、これは、組み付け前に靴の種々の部分の位置を合わせる、機能的な利点を提供するものではない。 
【０００５】
本発明の概要は、下記の詳細な説明にさらに説明する、簡素な形態において、概念の選択を紹介するために提供される。この概要は、請求項の内容の重要な特徴又は本質的な特徴を特定することを意図するのではなく、請求項の内容の範囲の決定を助けるものとして使用されることを意図するものでもない。 
【課題を解決するための手段】
【０００６】
本発明は、所定の位置に保持し、そうすることによって靴のアッパー部の位置合わせを行うストックフィット組立体取付け具に関するものである。ストックフィット組立体取付け具は、靴のラストの上に設置するか、又はラストに取り付けて、アッパー部をミッドソールやアウトソールのような、靴の他の部分に固定することができる。一実施形態では、ストックフィット組立体取付け具は、基板、底板、案内板及び上板より構成され、ラストと靴の諸部分は、底板と案内板の間に位置する。さらに、基板と案内板は２つのガイドピンによって連結され、ガイドピンは各々ばねで包囲されており、例えば、靴のアッパー部がアウトソール及びミッドソール部に圧縮されるか、又ははめ込まれるように、作業員の加える力によって、案内板及び上板を下方向に動かすことができる。 
【０００７】
本発明の実施形態は、一足の靴の内の片方を一度に組み付ける、シングルフローに利用する、記載のストックフィット組付けを提供し、この場合、一足の靴の片方は、一度に組み付けられる。一足の靴の片方はもう片方とは異なることがあるので、これは、顧客がカスタマイズされた靴製造を本当に体験するという、大きな利点を提供する。多くの人は（左右の）足のサイズが僅かに異なるので、それに合わせて一足の内の各々のサイズは指定される。このようにして、ぴったり合う靴が提供される。さらに顧客が各々の靴で異なる素材、又は異なる視覚的なカスタマイゼーションを好む場合には、ダブルフロー（一足の靴)に対するシングルフロー(例えば、片方の靴)を使用することによって、この機会が提供される。伝統的に靴は左右一対で製造されてきたが、本明細書では、左と右の靴を別々に製造することができ、視覚的であろうと靴がどう顧客に適合するか（例えば、サイズ、靴の種々の部分の硬さ、幅）に関するものであろうと、個々のカスタマイゼーションが可能となる。
【０００８】
その他の実施形態は、靴製造工程で使用される、ストックフィット組立体取付け具を提供する。ストックフィット組立体取付け具は、基部部材、上部部材及び靴の一部分を基部部材に保持し、ラストを上部部材に保持して、靴の種々の部分を組み付け、靴のその一部分は基部部材に対して固定されたままとする保持機構を有することができる。またラストは、上部部材に対して固定したままとすることができ、そうすることによって、靴毎の組み付けの変動を低減することができる。一実施形態では、上部部材は案内板と上板を備え、基部部材は基板と底板を有することができる。 
【０００９】
本発明の詳細を添付の図面を参照して以下に説明する。 
【図面の簡単な説明】
【００１０】
【図１】本発明の実施形態に係る、靴を製造するためのストックフィット組立体取付け具の斜視図である。
【図２】本発明の実施形態に係る、複数のガイドピン穴を有する基板の拡大斜視図である。
【図３】本発明の実施形態に係る、アウトソールを挿入する領域を有する底板の拡大斜視図である。
【図４】本発明の実施形態に係る、複数のガイドピン穴及びラストが位置付けされる領域を有する、案内板の拡大斜視図である。
【図５】本発明の実施形態に係る、複数のラストピン穴を有する、上板の拡大斜視図である。
【図６】案内板のアウトソールの枠部の寸法を調整するために使用される、複数の調整可能な滑り機構を有する、案内板の拡大斜視図である。
【発明を実施するための形態】
【００１１】
本発明の内容は、法的要件を満たすように、本明細書に具体的に記載される。しかしながら記載そのものは、本特許の範囲を制限することを意図するものではない。むしろ本発明者らは、他の現在又は将来の技術と併せて、異なるステップ又は本書に記載のものと同様のステップの組合せを含むように、請求項の内容を他の態様でも具現化することを考えた。
【００１２】
本発明の実施形態は、一般に上部部材と底部部材から構成される、ストックフィット組立体取付け具に使用するシステムと方法を提供する。底部部材は、底板と基板を備え、上部部材は、案内板と上板を備え、これらは、上部部材に圧縮や力が加えられると上下に動く。圧縮機構によって上部部材は基部部材の方に向かって移動し、第１及び第２の靴部分は接触する。上部部材と底部部材の間にはラストがあり、ラストの周りには、靴のアッパー部が設置され、靴の底部は、いくつかの実施形態では、アウトソールとミッドソールを備えることができる。上部部材と基部部材の間に設置される前に、靴のアッパー部はラストの上又は周囲に設置してもよい。その後ラストは、ボルト、ねじ、ダボピンなどの固定機構によって、上部部材に固定してもよい。上部部材から底部部材に圧縮力が加えられる前には、ラストは靴の底部と接触しない。上部部材に圧縮が加えられると、アッパー部は底部の上に押し付けられる。上述の様に、底部はアウトソールとミッドソールを備えることができる。一実施形態では、アウトソールとミッドソールは、ストックフィット組立体取付け具に入る前に、固定されるか又は組合せられている。しかしながら別の実施形態では、ストックフィット組立体取付け具は、アッパー部のアウトソール／ミッドソール部への固定に加え、アウトソールとミッドソールを共に固定又は組合せるために使用される。
【００１３】
図１を参照するに、本発明の実施形態に係る、靴の製造工程で使用されるストックフィット組立体取付け具の斜視図が提供されている。先ず、ストックフィット組立体取付け具は、４つの板を備えており、各々の板は、靴の諸部分を位置合わせし、完成品の再現を確実にする、独特の機能を提供することによって、完成品の変動をほぼなくす。ストックフィット組立体取付け具は、全体の靴製造工程の一部に使用することができる。例えば、製造工程はいくつかの実施形態において、アウトソール、ミッドソール及びアッパー部の個々の製造を含み、組合せると、完成した靴などの最終製品が形成される。ストックフィット組立体取付け具は、具体的には、アウトソール、ミッドソール及びアッパー部などの、個々の部分の各々が完成してから使用することができる。これは各部分が、印刷、レーザー、刺しゅう、形成、ステッチなどの、しかしこれらに限定されない種々の工程を終えた後でもよい。
【００１４】
上述の様に、ストックフィット組立体取付け具は、靴の種々の部分の組み付け及び取り付けに関連する作業員の相互干渉を最小限に抑えることによって、靴製造工程の変動をほぼなくすために使用することができる。究極には、こうすることによって、完成した靴製品の品質をより正確に予測でき、作業員の相互干渉によるミスやエラーを最小限に抑えることができる。
【００１５】
図１を続けて参照するに、説明する４つの板には、基板１１０、底板１１２、案内板１１４及び上板１１６が含まれる。図１には４枚の板が示されているが、本発明と関連させて、何枚の板を使ってもよいことが理解できよう。例えば、一実施形態では、案内板１１４と上板１１６を組合せた１枚の板で、両方の板の機能を行ってもよい。さらに、図１に示す複数の板は、互いに一定の比で示されているが、各板は、様々な長さ、幅、厚さ（例えば高さ）を含むサイズであってもよいことが理解されよう。板の寸法は、靴のサイズや、バスケットシューズ、スケートシューズ、ランニングシューズなどを含む靴の種類に基づいて、変化させることができる。
【００１６】
基板１１０をより正確に記述するために、図２には、本発明の実施形態に係る、基板１１０の拡大斜視図を示す。図２において、基板２１０は、２つのベースピン穴２２０及び複数の基板穴２２２を備えている。４つの基板穴２２２が図２の実施形態には示されている。しかし、図１でアイテム１１２として示される底板に、基板１１０を接合させるためには、いくつでも穴を設けて良いことが、本発明の範囲内で考えられる。これらのベースピン穴２２０には、図１に示すガイドピン１２４の底部表面を挿入することができる。これらのガイドピン１２４は、基板１１０から上方向に延在する。一実施形態では、各ガイドピン１２４は、靴のアッパー部を、一実施形態においてはアウトソールとミッドソールを備える下部に固定するための圧縮機構として作用する、ばね１２６によって包囲されている。
【００１７】
図１に示す様に、一旦ストックフィット組立体取付け具１００が組み付けられると（例えば、ラスト上のアッパー部とアウトソール/ミッドソールが板の間にある状態）、作業員は上板１１６上に位置するハンドルで、そして力を使って、すなわち上板１１６を押し付けて、ラスト１２２上のアッパー部をミッドソール１２０部及びアウトソール１１８部に圧縮する。ミッドソール１２０とアウトソール１１８は、まとめてストックフィット組立体と呼ぶことができる、というのもこれらはストックフィット組立体取付け具１００と関連して使用する前に、すでに組み立てられているからである（例えば、熱加圧、接着によって）。一方で、一実施形態では、作業員又はその他のユーザーは、アッパー部のアウトソール部/ミッドソール部への実際の、そして最初の圧縮を行う。別の実施形態では、これと同じ機能を行うために機械を使用してもよく、これによって、ストックフィット組立体取付け具１００の圧縮機能に対する作業員の相互干渉を軽減することができる。
【００１８】
基板２１０は、上部表面、底部表面及び周囲の縁を備えている。上述の様に、基板２１０の長さ、幅及び高さを含むサイズは変えることができる。基板２１０は、プラスチックや金属（例えばアルミニウム）を含む多数の材料、又は圧縮や力を加えても湾曲や潰れのない材料で作ることができる。
【００１９】
基板１１０の真上には底板１１２があり、これは、枠、すなわちアウトソール枠１１７を提供し、これは、底板１１２から切り抜かれており、アウトソール１１８などのアウトソールは、枠で囲まれた、すなわち切り抜かれた空間にはめ込むことができる。アウトソール１１８は、靴のサイズ又は靴の種類（例えば、ランニングシューズ、スケートシューズ、バスケットシューズ）によってもサイズが異なるので、その特定の時に組み付けられて取り付けられる、アウトソール１１８に適切な適合を提供するために、複数の底板１１２を利用してもよい。しかしながら一実施形態では、一つの底板１１２は、図３に示すアウトソール枠３１２の大きさの変更を可能とする、例えば、複数のスライダーの付加的な機能を備え、種々の靴のサイズ及び種類で使用することができる。底板１１２は、底板１１２を基板１１０に固定する、一つ以上の底板穴１３２を備えている。図１の実施形態には、４つの底板穴１３２が示されている。
【００２０】
図６は、複数の底板を作成する必要性に代わって、一つの底板の使用で済む機構を示し、これにより、かなりの量の材料と、可能であれば作業員の相互干渉を取り除くことができる。底板６００は、靴の種類及び／又はサイズに応じて滑って出入りする、調整可能な機構（本明細書では４つ示す）と共に示されている。図６の実施形態にはスライド機構（例えば、スライドつまみ）が示されているが、より小さな、大きな、又は異なる種類のアウトソール/ミッドソールの、底板６００の切り抜き領域内への設置を可能にするような、他の機構も使用できるということが理解できるだろう。滑り機構６１０は、枠で囲まれた領域の外側部（例えば、横方向の外側）に位置し、靴の幅や長さを調整する必要がある場合などの状況おいて、この領域の調整を補助することができる。滑り機構６１０は、他のものよりもより幅の広いアウトソールを提供する靴がある場合には、靴のサイズや種類に基づいて調整することもできる。滑り機構６２０は、底板の上部に位置させることができる。これは、アウトソールの長さの変更を補助する。滑り機構６３０は、枠で囲まれた領域の内側の孤の部分（例えば、横方向の内側）に位置し、靴の幅の変動を補助する。次に、滑り機構６４０は、底の、枠で囲まれた領域のかかと部の近くに位置し、靴の長さの変動を補助することができる。その他の滑り機構を提供することができる。例えば、一実施形態では、４つ以上の機構を使って、枠で囲まれた領域の大きさを適切に調整してもよい。別の実施形態では、４つ以下の機構を使って尚、同じ機能を提供してもよい。
【００２１】
図３には、本発明の実施形態に係る、底板１１２の拡大斜視図を示す。上述の様に、アイテム３１０として図３に示す底板は、アウトソール枠３１２を備え、これは本質的には、現在取り付けられ、組み付けられている特定のアウトソールのサイズに合わせて作られる、板の切り抜き部分である。アウトソール１１８は、アウトソール枠３１２に直接はめ込まれる。アウトソール１１８の底は、基板１１０の上部表面に接触してもよい。基板１１０と同様に、底板３１０は複数の底板穴３１４を備え、これらは図２の底板穴２２２と整合している。これらの穴は、底板３１０と基板１１０を相互に固定する、各板を貫通する固定機構の挿入を提供する。固定機構の例には、互いに関連して基板１１０と底板１１２を所定の場所に保持するねじ、ボルト、ダボピンが含まれるが、これらに限定されない。その他の実施形態では、これと同じ機能を提供する他の種類の固定機構を用いてもよい。
【００２２】
底板３１０は、上部表面、底部表面及びアウトソール枠３１２を形成する内側縁を含む、周囲の縁を備える。基板の長さ、幅及び高さを含むサイズは、現在組み付けられている靴のサイズ及び種類に応じて変えることができる。底板３１０は、プラスチックや金属（例えばアルミニウム）を含む多数の材料、又は圧縮や力を与えても湾曲や潰れを生じない適切なその他の材料で作ることができる。
【００２３】
図１に戻るが、ミッドソール１２０は、アウトソール１１８の内部に示されており、いくつかの実施形態では、ミッドソール１２０とアウトソール１１８は、それらがストックフィット組立体取付け具上に設置される時までにすでに接合されている。アウトソール１１８とミッドソール１２０の上にはラスト１２２が示されており、ラストは、靴のアッパー部を人間の足の形に形成するために使用される。ストックフィット組立体取付け具が組み付けられる前に、アッパー部はラストに設置される。ラスト１２２は、底板１１２の様に、その時に製造されている靴の特定のサイズ又は靴の種類によって、種々のサイズが利用できる。
【００２４】
ラスト１２２の上には案内板１１４があり、これを貫通してラスト１２２が設置されている。案内板１１４の詳しい考察をより容易に行うために、本発明の実施形態に係る、アイテム４１０として示す案内板の拡大斜視図を説明する図４を提供する。案内板４１０は、枠で囲まれた領域４１２を備え、これは、図１のラスト１２２の上部を位置付けすることのできる開口部を提供する。一実施形態では、枠で囲まれた領域４１２は長方形とすることができるが、他の実施形態では、枠で囲まれた領域４１２は、円形、正方形、楕円形、三角形などを含むが、これらに限定されない他の形状としてもよい。さらに、枠で囲まれた領域４１２は、靴のサイズ、製造されている靴の種類などに応じて、多数のサイズの中のどのサイズであってもよい。
【００２５】
案内板４１０は、２つのピン穴４１４も備え、これは図１に示す様に、ガイドピン１２４のための開口部を提供する。図１に戻るが、先に述べた様に、ガイドピン１２４を包囲するばね１２６は、上板を下方向に移動させる圧縮機構として作用し、これは、アウトソール１１８とミッドソール１２０の圧縮を提供する。一実施形態では、図１に示すもの以外のその他の靴の部分やコンポーネントは、ストックフィット組立体取付け具１００を利用する。
【００２６】
図１はまた、ばね１２６の真上に位置し、各圧縮（圧迫）部材１２８の内径が、上部のピン穴１３０の内径よりも大きくなるように形成された、２つの圧縮部材１２８を示す。この内径の違いにより、圧縮部材１２８は上部のピン穴１３０の下に常に位置して、圧縮部材１２８は、圧縮作用による圧力をばね１２６に伝達する。
【００２７】
図４に戻るが、案内板４１０はまた、図１に示す上板１１６を所定の場所に固定するために使用する複数の案内板穴４１６を備える。案内板４１０は、上部表面、底部表面及び、枠で囲まれた領域４１２の外縁を含む、周囲の縁を備えている。案内板の長さ、幅及び高さを含むサイズは、靴のサイズ又は種類（例えば、バスケットシューズ、ランニングシューズ、スケートシューズ）によって変えることができる。案内板４１０は、プラスチックや金属（例えばアルミニウム）、又は圧縮や力を加えても湾曲や潰れのない材料で作ることができる。
【００２８】
ストックフィット組立体取付け具を構成する４番目の板は上板１１６であり、これは図５にさらに説明される。図５は、アイテム５１０として示される、本発明の実施形態に係る上板の拡大斜視図である。上板５１０は、凹領域５１２を備え、この凹領域５１２は２つの上部凹板穴５１４を備えている。これらの穴によって、ボルト、ダボピン、ねじなどの固定機構の挿入が可能となる。この固定機構は、上板５１０をラスト１２２の上部に直接固定する。これによって図１に示すラスト１２２は、組み付け工程中所定の位置に保持される。上板５１０はまた、上述の様に、案内板穴４１６によって上板５１０を案内板４１０に固定する、複数の上板穴５１６（図５には４つ示す）を備えている。ストックフィット組立体取付け具１００を使った効率的な工程を提供するために、上板５１０の両側には２つの上板ハンドル５１８がある。この上板ハンドル５１８によって、ストックフィット組立体取付け具の取り付け又は取り外しの際に、上板を簡単に設置したり取り外したりすることができる。 
【００２９】
一実施形態では、図５に示す上板５１０は、異なる靴のサイズや靴の種類などに応じて、異なる上板が使用されるように製造してもよい。しかしながら一実施形態では、上板５１０は、異なる靴の種類やサイズであっても、一貫させることもできる。これはラスト次第である、というのも、ラストの上部の穴は上部凹板穴５１４と常に整合するからである。これらの穴はまた、靴のサイズや種類に関係なく、ラストも図３に示すアウトソール枠３１２と整合するように、上板と整合させてもよい。この点において、本発明の範囲内で、どちらか一方の上板を種々の靴のサイズやタイプに一貫して使用することや、複数の上板を使って、靴のサイズや種類に応じて変えることが考えられる。 
【００３０】
図１に戻るが、上述の上板穴はアイテム１３４として示されており、上板ハンドルはアイテム１４０として示されている。ストックフィット組立体取付け具１００の取り付けと取り外しに上板ハンドル１４０を使用することに加えて、ハンドル１４０もまた、作業員が例えば上板１１６に力を加えて、アッパー部によって囲まれているラスト１２２をミッドソール／アウトソールに圧縮して、これによって、アッパー部のアウトソールとミッドソールへの一応の初期の固定を提供するために使用することができる。この一応の初期の固定が一旦行われると、組み付けられた靴をストックフィット組立体取付け具１００から取り出し、プレス機械などのプレスに設置して、アッパーをミッドソールとアウトソールにさらに固定することができる。 
【００３１】
図５に戻るが、上板５１０は、上部表面、底部表面及び周囲の縁を備えている。長さ、幅及び高さを含む上板５１０のサイズは、靴のサイズ（例えば、靴の高さ、長さ及び幅を含む寸法）又は靴の種類（例えば、ランニングシューズ、スケートシューズ、バスケットシューズ)によって変わる。上板５１０は、プラスチックや金属（例えばアルミニウム）、又は圧縮や力を加えても湾曲や潰れのない、その他の適切な材料で作ることができる。
【００３２】
引き続き図１を参照するに、アイテム１３６は上板穴であり、これによってラストピン１３８は、上板１１６をラスト１２２に固定し、それによって上板１１６をラスト１２２の上部に位置合わせする固定機構を提供することができる。上述の様に、靴のアッパー部は、上板１１６がラスト１２２に固定される前にラストに設置される。ラストピン１３８が上板１１６とラスト１２２に固定されてから、組み付けと圧縮が行われる。 
【００３３】
本発明を、あらゆる点において限定的というよりはむしろ例示的であることが意図される、特定の実施形態と関連して説明してきた。その範囲から逸脱することなく、本発明の属する代替実施形態が明らかになるであろう。例えば、本明細書に記載する発明は、ドレスシューズ、サンダル、あらゆる種類のブーツ又はその他の種類の履物を含む、あらゆる種類の履物の製造に容易に適用することができる。さらに、本明細書の態様は、作業員の相互干渉の低減が所望される従来の製造工程に、容易に適応させることができる。
【００３４】
上述の内容から、本発明は、本システム及び方法に明らかで固有のその他の利点と共に、上述の目標や目的を達成するために上手く適応されるものであることがわかるだろう。特定の特徴やサブコンビネーションは有用であり、その他の特徴やサブコンビネーションに関係なく利用できることが理解されよう。これは、請求項の範囲内で考えられ、そして請求項の範囲内である。
【図１】
0005945415.tif 000002
【図２】
0005945415.tif 000003
【図３】
0005945415.tif 000004
【図４】
0005945415.tif 000005
【図５】
0005945415.tif 000006
【図６】
0005945415.tif 000007